(57)【要約】      （修正有）【課題】毛染めは他人に行ってもらう場合には短時間できれいにできるが、これを自分一人で行う場合にはなかなか上手くできないことが多く時間もかかる。自分で自分の毛染めを行う場合に、他人に手伝ってもらうことなく、より簡単に、より効率よく毛染めができる毛染め器具を提供する。【解決手段】任意の素材および任意の形状で形成された指サック１の先端部分または側面またはこれらの両方に、任意の素材で形成された任意の数の刷毛２が取り付け手段によって取り付けられた構造からなる毛染め器具。本発明を使用することにより自分一人でも短時間にきれいに毛染めを行うことができる。【選択図】図１
2019130254.tif 000002
【特許請求の範囲】
【請求項１】
任意の素材および任意の形状で形成された指サックの先端部分または側面またはこれらの両方に、任意の素材で形成された任意の数の刷毛が取り付け手段によって取り付けられた構造からなる毛染め器具。
【発明の詳細な説明】
【技術分野】
【０００１】
本発明は、指に装着して使用する毛染め器具に関するものである。
【背景技術】
【０００２】
これまでの毛染め器具はクシ型のものなどが存在する。
【先行技術文献】
【特許文献】
【０００３】
【特許文献１】特開２０００−２５３９２２
【特許文献２】特開平１１−３０９０１９
【非特許文献】
【０００４】
【非特許文献１】実開平６−０３６４２３
【発明の概要】
【発明が解決しようとする課題】
【０００５】
これまで考案されている毛染め器具は、クシ型のものがメインである。この場合、誰か他の人に毛染めをしてもらう場合には問題ないが、自分一人で毛染めをする場合には、うまく毛染めができない場合がある。本発明は、自分の手の指先に装着して使用するもので、頭部および指で、刷毛があたっている部分を感じながら毛染めができるため、より簡単に毛染めを行うことが可能となる。
【課題を解決するための手段】
【０００６】
任意の素材および任意の形状で形成された指サックの先端部分または側面またはこれらの両方に、任意の素材で形成された任意の数の刷毛が取り付け手段によって取り付けられた構造からなる毛染め器具。
【発明の効果】
【０００７】
本発明により、自分で毛染めを行う場合に、より簡単に毛染めを行うことが可能となる。
【図面の簡単な説明】
【０００８】
【図１】本発明の外観斜視図
【図２】本発明の外観斜視図
【図３】本発明の外観斜視図
【図４】本発明の外観斜視図
【発明を実施するための形態】
【０００９】
本発明の毛染め器具は、任意の素材および任意の形状で形成された指サック（１）および任意の素材で形成された刷毛（２）とからなっている。指サック（１）は、柔軟性を有するプラスチックやゴム状などの素材あるいは布や不織布などの素材で形成され、指の先に装着して使用される。指サック（１）を形成する素材は、指に装着できるように加工されたものなら何でも良い。柔軟性を有するプラスチック素材としては、熱可塑性ポリウレ夕ン（ＴＰＵ）、塩ビ、ポリエチレンなどがあり、ゴム状素材としては、シリコーンゴム、クロロプレンゴム、ニトリルブタジエンゴム、エチレンプロピレンゴム、フッ素ゴム、天然ゴム、イソプレンゴム、スチレンブタジエンゴム、ブチルゴム、ブタジエンゴムなどがある。指サック（１）の先端部分または側面またはこれらの両方の任意の位置には任意の素材で形成された任意の数の刷毛（２）が取り付けられている。刷毛（２）は、柔軟性を有する各種プラスチックなど任意の素材で形成されている。刷毛（２）は、指サック（１）の先端部分または側面またはこれらの両方の任意の位置に、接着剤、縫製、熱圧着などの取り付け手段によって任意の数が取り付けられている。指サック（１）は、指に装着できるものを指し円筒形に限らず、任意の形状が可能で、例えば面ファスナーを用いて、指に巻き付けるようにしたものなどでも良い。任意の素材および任意の形状で形成された手袋の各指の任意の先端部分または任意の側面またはこれらの両方に、任意の素材で形成された刷毛（２）が接着剤、縫製、熱圧着などなどの取り付け手段によって任意の数取り付けられたものも同様の目的の毛染め器具として使用できる。この刷毛（２）を取り付けた手袋に関しては、指の側面に刷毛（２）を取り付ける場合には、手の内側の面に取り付けることで十分である。本発明を使用する場合は次のようにする。まず、毛染め剤での手の汚れを防止する為に、両手にポリエチレンやその他のプラスチックまたはゴムなどで形成された薄い手袋をする。その後、この手袋の上から本発明の空洞（３）にそれぞれ、親指、人差し指、中指、薬指を入れて、先端に本発明を装着する。この状態で、毛染め剤を本発明の刷毛（２）につけて、毛染めを行う。右利きの人は、右手の各指に本発明を装着して
刷毛（２）に毛染め剤をつけ、左手で髪の毛をかき分けながら染めると良い。左利きの人はこの逆になる。側面に設けられている刷毛（２）は、親指と人差し指などで髪の毛を挟んで染めることができるので便利である。クシ型の場合には、このように挟むことができない。両手の各指に本発明を装着して染めても良い。この後の処理は、洗髪など、一般の毛染め剤の処理に準じて行う。本発明は、親指、人差し指、中指、薬指の他、小指に装着しても良いし、または、親指、人差し指、中指だけに装着して使用することもできる。任意の指に装着して使用することができる。本発明を使用する場合は、クシ型の毛染め器具に比べると、頭部及び指で、刷毛（２）があたっている部分を感じることができるため、効率良く毛染めを行うことができる。各指で髪の毛を挟んで染めることもできるため便利であり、先端部分を利用して生え際などを効率良く染めることができる。本発明は、指サック（１）を、親指、人差し指、中指、薬指、小指の各指の大きさに装着するのに適したサイズで製造する。本発明は、毛染め後、洗浄することにより繰り返し使用することも可能である。これまでこのようなタイプの毛染め器具は存在しないと思われる。本発明は、自分で毛染めを行う場合に、より簡単に、より効率的に毛染めを行うことができる毛染め器具を提案するものである。
【実施例１】
【００１０】
図１は、本発明の外観図である。本発明の毛染め器具は、任意の素材および任意の形状で形成された指サック（１）および任意の素材で形成された刷毛（２）とからなっている。図２は、図１の本発明を別の角度から見た外観を示している。指サック（１）は、柔軟性を有するプラスチックやゴム状などの素材あるいは布や不織布などの素材で形成され、指の先に装着して使用される。指サック（１）を形成する素材は、指に装着できるように加工できるものなら何でも良い。柔軟性を有するプラスチック素材としては、熱可塑性ポリウレ夕ン（ＴＰＵ）、塩ビ、ポリエチレンなどがあり、ゴム状素材としては、シリコーンゴム、クロロプレンゴム、ニトリルブタジエンゴム、エチレンプロピレンゴム、フッ素ゴム、天然ゴム、イソプレンゴム、スチレンブタジエンゴム、ブチルゴム、ブタジエンゴムなどがある。指サック（１）の先端部分の任意の位置には、任意の素材で形成された任意の数の刷毛（２）が取り付けられている。刷毛（２）は、柔軟性を有する各種プラスチックなど任意の素材で形成されている。刷毛（２）は、指サック（１）の先端部分の任意の位置に、接着剤、縫製、熱圧着などの取り付け手段によって任意の数が取り付けられている。指サック（１）は、指に装着できるものを指し、円筒形に限らず任意の形状が可能で、例えば面ファスナーを用いて、指に巻き付けるようにしたものなどでも良い。任意の素材および任意の形状で形成された手袋の各指の任意の先端部分に、任意の素材で形成された刷毛（２）が接着剤、縫製、熱圧着などの取り付け手段によって任意の数取り付けられたものも同様の目的の毛染め器具として使用できる。本発明を使用する場合は次のようにする。まず、毛染め剤での手の汚れを防止する為に、両手にポリエチレンやその他のプラスチックまたはゴムなどで形成された薄い手袋をする。その後、この手袋の上から本発明を親指、人差し指、中指、薬指の先端に装着する。この状態で、毛染め剤を本発明の刷毛（２）につけて毛染めを行う。右利きの人は、右手の各指に本発明を装着して刷毛（２）に毛染め剤をつけ、左手で髪の毛をかき分けながら染めると良い。左利きの人はこの逆になる。両手の各指に本発明を装着して染めても良い。この後の処理は洗髪など、一般の毛染め剤の処理に準じて行う。本発明は、親指、人差し指、中指、薬指の他、小指に装着しても良いし、または、親指、人差し指、中指だけに装着して使用することもできる。任意の指に装着して使用することができる。本発明を使用する場合は、クシ型の毛染め器具に比べると、頭部及び指で、刷毛（２）があたっている部分を感じることができるため、効率良く毛染めを行うことができる。先端部分を利用して生え際などを効率良く染めることができる。本発明は、指サック（１）を、親指、人差し指、中指、薬指、小指の各指の大きさに装着するのに適したサイズで製造する。本発明は、毛染め後、洗浄することにより繰り返し使用することも可能である。これまでこのようなタイプの毛染め器具は存在しないと思われる。本発明は、自分で毛染めを行う場合に、より簡単に、より効率的に毛染めを行うことができる毛染め器具を提案するものである。
【実施例２】
【００１１】
図３は、本発明の外観図である。指サック（１）の先端部分および側面の円周には、任意の素材で形成された任意の数の刷毛（２）が取り付けられている。この実施例の場合には、刷毛（２）が先端部分にのみ取り付けられている実施例１に比して、例えば、親指と人差し指で髪の毛を挟んで染める場合などに便利である。実施例１の構造の本発明でも十分な染色が簡単にできるが、このような構造のものも製造可能である。任意の素材および任意の形状で形成された手袋の各指の任意の先端部分および側面円周の任意の部分に、任意の素材で形成された刷毛（２）を取り付け手段によって任意の数取り付けたものも同様の目的の毛染め器具として使用できる。
【実施例３】
【００１２】
図４は、本発明の外観図である。この実施例では、指サック（１）の先端部分および側面の円周の一部に、任意の素材で形成された任意の数の刷毛（２）が取り付けられている。刷毛（２）が取り付けられている側を手の内側になるように指に装着して使用する。側面に設けられている刷毛（２）は、親指と人差し指などで髪の毛を挟んで染めることができるので便利である。クシ型の場合には、このように挟むことができない。任意の素材および任意の形状で形成された手袋の各指の任意の先端部分および側面円周の任意の一部分に、任意の素材で形成された刷毛（２）を取り付け手段によって任意の数取り付けたものも同様の目的の毛染め器具として使用できる。この刷毛（２）を取り付けた手袋に関しては、指の側面に刷毛（２）を取り付ける場合には、手の内側の面に取り付けることで十分である。
【産業上の利用可能性】
【００１３】
本発明は、工業的に量産することが可能であるため、産業上の利用可能性を有する。
【符号の説明】
【００１４】
１  指サック
２  刷毛
３  空洞
【図１】
2019130254.tif 000003
【図２】
2019130254.tif 000004
【図３】
2019130254.tif 000005
【図４】
2019130254.tif 000006